(57)【要約】【課題】慶祝、お見舞、激励等の目的で制作される折鶴を簡便かつ美麗に収納する折鶴収納台紙の提供すること、及び数少ない１〜複数種の台紙の組み合わせにより、百羽鶴又は折鶴制作者が所望する数量の折鶴を収納できる折鶴収納台紙Ｄを提供すること。【解決手段】１枚の収納台紙の表面から裏面に打ち抜かれた折鶴収納部を２０箇所形成してなる台紙１と、１枚の収納台紙の表面から裏面に切り抜き用の切取線を刻設した折鶴収納部を１２箇所形成してなる台紙２と、１枚の収納台紙の表面から裏面に切り抜き用の切取線を刻設した折鶴収納部を８箇所形成してなる台紙３とを組み合わせてなる。【選択図】図１
2011207200.tif 000002
【特許請求の範囲】
【請求項１】
慶祝、お見舞、激励等を目的として制作される折鶴を収納するシート状の折鶴収納台紙であって、１枚の収納台紙の表面から裏面に打ち抜かれた折鶴収納部を２０箇所形成してなる第１の収納台紙と、１枚の収納台紙の表面から裏面に切り抜き用の切取線を刻設した折鶴収納部を１２箇所形成してなる第２の収納台紙と、１枚の収納台紙の表面から裏面に切り抜き用の切取線を刻設した折鶴収納部を８箇所形成してなる第３の収納台紙と、を組み合わせてなる、ことを特徴とする折鶴収納台紙。
【請求項２】
前記第１の収納台紙、第２の収納台紙及び第３の収納台紙の素材が、剛性ある紙、合成紙又は合成樹脂シートであると共に、前記第１の収納台紙、第２の収納台紙及び第３の収納台紙が、Ｂ５版又はＡ４版である、ことを特徴とする請求項１に記載の折鶴収納台紙。
【請求項３】
前記第１の収納台紙、第２の収納台紙及び第３の収納台紙の一側にヒンジ部を介して綴じ片を延設すると共に、前記各収納台紙における綴じ片の所定位置には複数のビス穴を穿設している、ことを特徴とする請求項１〜請求項２の何れかに記載の折鶴収納台紙。
【請求項４】
前記第１の収納台紙、第２の収納台紙及び第３の収納台紙における折鶴収納部の形状は、平面視、上方は３の山部と２の谷部とした王冠状に形成され、下方は緩やかな山部が形成されると共に、前記緩やかな山部の下部又は近傍には収納された折鶴の番号表示部が設けられ、当該折鶴収納部の大きさは、折鶴の大きさと同大又はやや大とされ、かつ当該折鶴収納部の厚さ寸法は、折鶴の厚みとほぼ同寸かやや大としている、ことを特徴とする請求項１〜請求項３の何れかに記載の折鶴収納台紙。
【請求項５】
前記第１の収納台紙、第２の収納台紙及び第３の収納台紙は、綴じ片を除く表裏面の全面に不乾性粘着剤が塗布されていると共に、前記不乾性粘着剤に仮着された透明合成樹脂製フィルムで被覆されている、ことを特徴とする請求項１〜請求項４の何れかに記載の折鶴収納台紙。
【請求項６】
慶祝、お見舞、激励等を目的として制作される折鶴等を収納するアルバムであって、背表紙、オモテ表紙及びウラ表紙からなる表紙体と、前記第１の収納台紙及び／又は第２、第３の収納台紙を組み合わせてなる複数枚の折鶴収納台紙と、折鶴等の贈呈者及び／又は被贈呈者に関連する写真を貼付する写真台紙と、シール、カード、チケット、ハガキ等のシート体を取り付けるための取付台紙と、前記写真台紙及び取付台紙の表裏面を被覆する透明合成樹脂製フィルムと、前記第１、第２及び第３の収納台紙、写真台紙及び取付台紙を前記表紙体に固定する固定具と、からなる百羽鶴又は所定数の折鶴と写真等の一体型アルバム。
【請求項７】
前記オモテ表紙及びウラ表紙内に、百羽鶴又は慶祝等に関連する所定数の折鶴贈呈者から被贈呈者へのメッセージ、イラスト又は寄せ書き等を表記するための見開き及び／又はメッセージシートを介在させ、前記第１、第２及び第３の収納台紙、前記写真台紙及び取付台紙と共に、前記固定具を介して表紙体に固定されてなる、ことを特徴とする請求項６に記載の百羽鶴又は所定数の折鶴と写真等の一体型アルバム。
【請求項８】
前記表紙体における背表紙には百羽鶴の文字を表記し、前記オモテ表紙又はウラ表紙には１〜複数の鶴又は折鶴の図形又は文字が表示されるかあるいは刺繍されている、ことを特徴とする請求項６〜請求項７の何れかに記載の百羽鶴又は所定数の折鶴と写真等の一体型アルバム。
【請求項９】
前記見開きには少なくとも百羽鶴又は慶祝に関連する所定数の折鶴贈呈の趣旨を表す文字、図形、被贈呈者及び／又は贈呈者の氏名、名称及び日付等の表記欄が設けられている、ことを特徴とする請求項７に記載の百羽鶴又は所定数の折鶴と写真等の一体型アルバム。
【請求項１０】
前記第１、第２及び第３の収納台紙の折鶴収納部に収納される折鶴制作用の折り紙と、見開き及び／又はメッセージシートに貼付されるシールと、前記折鶴収納部の下部又は近傍に貼付される羽数表示シールと、を添付してなる、ことを特徴とする請求項１〜請求項９の何れかに記載の百羽鶴又は所定数の折鶴と写真等の一体型アルバム。
【請求項１１】
前記見開き、メッセージシートは、Ｂ５判又はＡ４判からなる、ことを特徴とする請求項７、請求項９〜請求項１０の何れかに記載の百羽鶴又は所定数の折鶴と写真等の一体型アルバム。
【発明の詳細な説明】
【技術分野】
【０００１】本発明は、折鶴収納台紙及び百羽鶴又は所定数の折鶴と写真等の一体型アルバムに関し、より詳しくは、長寿、病気快癒等の慶び、願い又は励まし等を込めて贈られ、百羽鶴等を贈られた人が、折鶴収納台紙内に美麗に配設された折鶴を随時見ることができると共にかつ、折鶴収納台紙の前後には百羽鶴等を贈呈した関係者の寄せ書き、メッセージ又は写真等を貼着することができる折鶴と写真等の一体型アルバムに関する。
【背景技術】
【０００２】中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。【０００３】従来、折鶴は、折り紙を鶴に似せて所定の手順で制作されるものであり、折鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。そのほかに千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」等が大きくなり、あるいは「勇気」、「闘志」等を強くすることができる。【０００４】本願出願人による調査によれば、例えば、特許文献１の「折鶴作成方法」（第１頁、参照）、特許文献２の「三角形の紙で作る折鶴」（第１頁、参照）等の折鶴に関する先行技術文献が発見されたが、千羽鶴の制作及び折鶴を収納するアルバム帳ないし千羽鶴と写真等の一体型アルバム帳あるいは折鶴を収納する折鶴収納台紙等に関連する先行技術文献は、検索されなかった。【０００５】上述のように、従来の千羽鶴の制作は、１〜複数の人が折り紙を所定の手順で制作した折鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。【０００６】しかしながら、上記、従来の千羽鶴の制作、折鶴の収納及び贈呈後の管理等には、以下のような欠点や問題点等がある。即ち、
（１）折り終った折鶴の数量が不明になり、たびたび数え直す必要があり、制作完了日を予測することが困難である。
（２）折鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に塵埃等が付着しやすいので、長期の保存には適さない。また例えば、病気や怪我等が快癒した後の処理、収納等に困惑している。
（６）例えば、入院患者への千羽鶴について、折鶴の首、尾羽及び両翼は折らない方がよいとされている。等々が指摘されていた。
そこで、本願発明者は、上記従来技術が有する各種問題点に鑑み、これらの問題点を解決するために鋭意検討を重ね、特許文献３を取得した。特許文献３の「千羽鶴収納ファイル及び折鶴用台紙」は、千羽鶴の被贈呈者が、折鶴用台紙内に美麗に配設された折鶴及び当該折鶴制作者の名前やメッセージ等を随時見ることができると共に、これにより被贈呈者は、「慶び」、「望み」、「勇気」又は「闘志」等が繰り返し得られる千羽鶴収納ファイルの提供という主な課題を解決することができた。
【先行技術文献】
【特許文献】
【０００７】
【特許文献１】特開２００４−２２９７３９号公報
【特許文献２】特開平９−２８５６５０号公報
【特許文献３】実用新案登録第３１５５７５４号公報
【発明の概要】
【発明が解決しようとする課題】
【０００８】しかしながら、現代社会における多忙な日常生活にあって、所定期間内に千羽の折鶴を制作することは極めて困難であり、特に高齢者には肉体的また精神的に大きな負担となる。また千羽の折鶴を収納した収納台紙の枚数が多数枚（例えば、Ａ４版台紙に３６個の折鶴を収納して２８枚）となり、アルバム帳全体の厚さが嵩高（約１１Ｃｍ以上）となり、その重量も重くなり、収納・保管上の問題や不具合がある。そこで、本願発明者は、千羽鶴贈呈の本来の目的が被贈呈者に対するお祝、病気等の快癒、激励等であることを考えるに、例えば被贈呈者が米寿を迎えるとすれば、そのお祝いとして、百羽の折鶴あるいは８８羽の折鶴を贈呈することで贈呈者の心は十分に被贈呈者に伝わることに着目して本願発明を完成させた。
そこで本願発明の課題は、以下の通りである。すなわち、
（１）第１の課題は、慶祝、お見舞、激励等の目的で制作される折鶴を簡便かつ美麗に収納する折鶴収納台紙の提供である。（２）第２の課題は、数少ない１〜複数種の収納台紙の組み合わせにより、百羽鶴又は折鶴制作者が所望する数量の折鶴を収納できる折鶴収納台紙の提供である。（３）第３の課題は、百羽鶴又は所定数の折鶴等の被贈呈者が、贈呈者の趣旨、例えば「慶祝、寿、祝、希望、祈、必勝、勇気、闘志、合格、愛、ＨＡＰＰＹ」等をより強く感じることができる、百羽鶴又は所定数の折鶴と写真等の一体型アルバムを提供することにある。（４）第４の課題は、折鶴制作者が精神的かつ肉体的な負担を感じることなく、軽量で嵩高くならない百羽鶴又は所定数の折鶴と写真等の一体型アルバムを提供することにある。
【課題を解決するための手段】
【０００９】課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書及び要約書等に記載の用語についての解釈上の疑義を解消すべく、以下に本発明の特許請求の範囲、明細書等に記載する用語の説明を行うこととする。
〈用語の説明〉
「百羽鶴」とは、千羽鶴と同様に慶祝、お見舞又は激励等の目的で制作される百羽の折鶴をいう。
「所定数」とは、主に長寿等の慶祝に因んだ数字、例えば、還暦（６０歳）、古希（７０歳）、喜寿（７７歳）、傘寿（８０歳）、米寿（８８歳）、卆寿（９０歳）、白寿（９９歳）、百歳万歳（１００歳）や、成人式（２０歳）その他個人の誕生年齢等の数字をいう。被贈呈者の慶祝に因んだ数の折鶴を１〜数名の贈呈者が制作してプレゼントする。
「第１の収納台紙」とは、１枚の収納台紙の表面から裏面に打ち抜かれた折鶴収納部を、２０箇所形成してなる、例えば、剛性を有する紙、合成紙又は合成樹脂シートからなるシート体をいう。百羽鶴又は所定数の折鶴制作の基本台紙となる。
「第２の収納台紙」とは、１枚の収納台紙の表面から裏面に切り取り用の切取線を刻設した折鶴収納部を１２箇所形成してなる、例えば、剛性を有する紙、合成紙又は合成樹脂シートからなるシート体をいう。第１及び第３の収納台紙と組み合わせ、百羽鶴又は慶祝に因んだ所定数の折鶴を制作するものである。
「第３の収納台紙」とは、１枚の収納台紙の表面から裏面に切り取り用の切取線を刻設した折鶴収納部を８箇所形成してなる、例えば、剛性を有する紙、合成紙又は合成樹脂シートからなるシート体をいう。第１及び第２の収納台紙と組み合わせ、百羽鶴又は慶祝に因んだ所定数の折鶴を制作するものである。
「折鶴収納台紙」とは、第１の収納台紙及び／又は第２、第３の収納台紙を組み合わせてなる収納台紙をいう。例えば、百羽鶴は、２０箇所の折鶴収納部を形成した第１の収納台紙５枚で制作することができる。また米寿（８８歳）用の折鶴８８羽は、第１の収納台紙４枚（８０羽）と第３の収納台紙１枚（８羽）で制作することができる。台紙の大きさは、Ｂ５判又はＡ４判の大きさで、第１の収納台紙の折鶴収納部の下部又は近傍には１羽〜１００羽の番号が順列して表裏面に表示され、第２の収納台紙及び第３の収納台紙と合わせ１セットとして販売することもできる。
「折鶴収納部」とは、制作された折鶴を一羽毎に収納するためのシート体に打ち抜かれた又は切り取られた穿設穴部をいう。その形状は、平面視、上方は３の山部と２の谷部とした王冠状に形成され、下方は緩やかな山部が形成されると共に、当該折鶴収納部の大きさは、折鶴の大きさと同大又はやや大とされ、かつ当該折鶴収納部の厚さ寸法（収納台紙の厚さ）は、折鶴の厚みとほぼ同寸かやや大としている。折鶴は、その首部、尾羽及び両翼は、下向きに折曲しない平坦状に折り畳まれた態様で収納される。
「百羽鶴又は所定数の折鶴と写真等の一体型アルバム」とは、百羽の折鶴又は慶祝に因んだ所定数の折鶴を収納した複数枚からなる折鶴収納台紙と百羽鶴等の被贈呈者及び当該折鶴制作者等の関係者の写真を貼付する写真台紙、シール、カード、チケット、ハガキ等を貼付する複数枚の取付台紙等を固定具と表紙体により、制作されたアルバムをいう。
「写真台紙」とは、百羽鶴等の被贈呈者及び当該折鶴制作者等の関係者の写真を貼付する台紙をいう。
「取付台紙」とは、百羽鶴等の被贈呈者に関連するシール、カード、チケット、ハガキ等のシート体が貼付される台紙をいう。その素材及び大きさは、折鶴収納台紙と同様で、その裏面又は表面には、不乾性粘着剤が塗布され、台紙の表裏面は透明合成樹脂製フィルムで被覆される。
「表面」とは、オモテ表紙側の面をいう。
「裏面」とは、ウラ表紙側の面をいう。
「合成紙」とは、プラスチックをおもな素材とし、筆記および印刷が可能なように紙化加工したシート状のものをいう。
「表紙体」とは、背表紙、オモテ表紙及びウラ表紙全体の総称である。
「固定具」とは、見開き、メッセージシート、折鶴収納台紙、写真台紙及び取付台紙等を綴じ込むためのボルト、ナットをいう。金属又は硬質樹脂材からなり、背表紙の内面に装着される。
「被贈呈者」とは、百羽鶴又は所定数の折鶴等を贈られる人をいう。例えば、喜寿、傘寿、米寿又は白寿等を迎える長寿者、病気や怪我等による入院患者又は高校野球、サッカー等のスポーツ大会に出場するチーム等である。
「贈呈者」とは、折鶴を制作し、百羽鶴又は所定数の折鶴等を制作して贈る１〜複数の人をいう。例えば、長寿を迎える人、入院患者又は大会出場チーム等の親族、友人、知己又は関係者等である。
「百羽鶴等贈呈の趣旨」とは、例えば、「百羽鶴」、「祝」、「祈」、「頑張れ」、「入魂」等の比較的短い文字等で表意する趣をいう。また百羽鶴等の被贈呈者に対する贈呈者からの、例えば「慶祝、寿、祝、希望、祈、必勝、勇気、闘志、合格、愛、ＨＡＰＰＹ」等の心、思いをいう。これらの文字を背表紙、オモテ表紙、見開き又はメッセージシート等に表記することにより、また、百羽鶴等と共に取付台紙にシール、カード、チケット、ハガキ等を貼付することによって、被贈呈者は、例えば「慶祝、寿、祝、希望、祈、必勝、勇気、闘志、合格、愛、ＨＡＰＰＹ」等をより強く感じることができる。
「シール」とは、例えば、「祝喜寿」、「祝米寿」、「祝白寿」、「祝傘寿」、「祝百歳万歳」、「祝全国高等学校野球選手権大会出場」等の慶祝や「祈ご快癒」等の文字を印刷し台紙に貼付された紙片をいう。百羽鶴等と写真等の一体型アルバムを贈呈する趣旨に適合する紙片を台紙から剥離して見開き又はメッセージシート等に貼付して使用する。
「羽数表示シール」とは、第２の収納台紙及び第３の収納台紙の折鶴収納部の下部又は近傍に設けられた折鶴の番号表示部に貼付するための数字を印刷し台紙に貼付された紙片をいう。各収納台紙の表裏に６１羽〜１００羽が貼付される。
＊＊＊＊＊＊＊＊＊＊＊＊＊＊＊＊＊＊＊＊＊＊＊＊＊＊＊＊＊＊＊＊＊＊＊＊＊＊＊【００１０】上記の課題を解決するための第１の発明は、請求項１に記載の発明であり、慶祝、お見舞、激励等を目的として制作される折鶴を収納するシート状の折鶴収納台紙であって、１枚の収納台紙の表面から裏面に打ち抜かれた折鶴収納部を２０箇所形成してなる第１の収納台紙と、１枚の収納台紙の表面から裏面に切り抜き用の切取線を刻設した折鶴収納部を１２箇所形成してなる第２の収納台紙と、１枚の収納台紙の表面から裏面に切り抜き用の切取線を刻設した折鶴収納部を８箇所形成してなる第３の収納台紙と、を組み合わせてなる、ことを特徴としている。【００１１】上記の課題を解決するための第２の発明は、請求項２に記載の発明であり、前記第１の収納台紙、第２の収納台紙及び第３の収納台紙の素材が、剛性ある紙、合成紙又は合成樹脂シートであると共に、前記第１の収納台紙、第２の収納台紙及び第３の収納台紙が、Ｂ５版又はＡ４版である、ことを特徴としている。【００１２】上記の課題を解決するための第３の発明は、請求項３に記載の発明であり、前記第１の収納台紙、第２の収納台紙及び第３の収納台紙の一側にヒンジ部を介して綴じ片を延設すると共に、前記各収納台紙における綴じ片の所定位置には複数のビス穴を穿設している、ことを特徴としている。【００１３】上記の課題を解決するための第４の発明は、請求項４に記載の発明であり、前記第１の収納台紙、第２の収納台紙及び第３の収納台紙における折鶴収納部の形状は、平面視、上方は３の山部と２の谷部とした王冠状に形成され、下方は緩やかな山部が形成されると共に、前記緩やかな山部の下部又は近傍には収納された折鶴の番号表示部が設けられ、当該折鶴収納部の大きさは、折鶴の大きさと同大又はやや大とされ、かつ当該折鶴収納部の厚さ寸法は、折鶴の厚みとほぼ同寸かやや大としている、ことを特徴としている。【００１４】上記の課題を解決するための第５の発明は、請求項５に記載の発明であり、前記第１の収納台紙、第２の収納台紙及び第３の収納台紙は、綴じ片を除く表裏面の全面に不乾性粘着剤が塗布されていると共に、前記不乾性粘着剤に仮着された透明合成樹脂製フィルムで被覆されている、ことを特徴としている。【００１５】上記の課題を解決するための第６の発明は、請求項６に記載の発明であり、慶祝、お見舞、激励等を目的として制作される折鶴等を収納するアルバムであって、背表紙、オモテ表紙及びウラ表紙からなる表紙体と、前記第１の収納台紙及び／又は第２、第３の収納台紙を組み合わせてなる複数枚の折鶴収納台紙と、折鶴等の贈呈者及び／又は被贈呈者に関連する写真を貼付する写真台紙と、シール、カード、チケット、ハガキ等のシート体を取り付けるための取付台紙と、前記写真台紙及び取付台紙の表裏面を被覆する透明合成樹脂製フィルムと、前記第１、第２及び第３の収納台紙、写真台紙及び取付台紙を前記表紙体に固定する固定具と、からなる百羽鶴又は所定数の折鶴と写真等の一体型アルバムである。【００１６】上記の課題を解決するための第７の発明は、請求項７に記載の発明であり、請求項６に記載の百羽鶴又は所定数の折鶴と写真等の一体型アルバムにおいて、前記オモテ表紙及びウラ表紙内に、百羽鶴又は慶祝等に関連する所定数の折鶴贈呈者から被贈呈者へのメッセージ、イラスト又は寄せ書き等を表記するための見開き及び／又はメッセージシートを介在させ、前記第１、第２及び第３の収納台紙、前記写真台紙及び取付台紙と共に、前記固定具を介して表紙体に固定されてなる、ことを特徴としている。【００１７】上記の課題を解決するための第８の発明は、請求項８に記載の発明であり、請求項６〜請求項７の何れかに記載の百羽鶴又は所定数の折鶴と写真等の一体型アルバムにおいて、前記表紙体における背表紙には百羽鶴の文字を表記し、前記オモテ表紙又はウラ表紙には１〜複数の鶴又は折鶴の図形又は文字が表示されるかあるいは刺繍されている、ことを特徴としている。【００１８】上記の課題を解決するための第９の発明は、請求項９に記載の発明であり、請求項７に記載の百羽鶴又は所定数の折鶴と写真等の一体型アルバムにおいて、前記見開きには少なくとも百羽鶴又は慶祝に関連する所定数の折鶴贈呈の趣旨を表す文字、図形、被贈呈者及び／又は贈呈者の氏名、名称及び日付等の表記欄が設けられている、ことを特徴としている。【００１９】上記の課題を解決するための第１０の発明は、請求項１０に記載の発明であり、請求項１〜請求項９の何れかに記載の百羽鶴又は所定数の折鶴と写真等の一体型アルバムにおいて、前記第１、第２及び第３の収納台紙の折鶴収納部に収納される折鶴制作用の折り紙と、見開き及び／又はメッセージシートに貼付されるシールと、前記折鶴収納部の下部又は近傍に貼付される羽数表示シールと、を添付してなる、ことを特徴としている。【００２０】上記の課題を解決するための第１１の発明は、請求項１１に記載の発明であり、請求項７、請求項９〜請求項１０の何れかに記載の百羽鶴又は所定数の折鶴と写真等の一体型アルバムにおいて、前記見開き、メッセージシートは、Ｂ５判又はＡ４判からなる、ことを特徴としている。
【発明の効果】
【００２１】本発明に係る、折鶴収納台紙及び百羽鶴又は所定数の折鶴と写真等の一体型アルバムは、上記のような特徴的構成要件から構成され、特徴的構成要件に応じた、以下のような本願発明特有の効果を奏する。また、上記のような特徴的構成要件から構成された折鶴収納台紙及び百羽鶴又は所定数の折鶴と写真等の一体型アルバムによれば、本願発明の課題を十分解消することができた。すなわち、第１の発明によれば、「慶祝、お見舞、激励等を目的として制作される折鶴を収納するシート状の折鶴収納台紙であって、１枚の収納台紙の表面から裏面に打ち抜かれた折鶴収納部を２０箇所形成してなる第１の収納台紙と、１枚の収納台紙の表面から裏面に切り抜き用の切取線を刻設した折鶴収納部を１２箇所形成してなる第２の収納台紙と、１枚の収納台紙の表面から裏面に切り抜き用の切取線を刻設した折鶴収納部を８箇所形成してなる第３の収納台紙と、を組み合わせてなる」という、特徴的な構成要件により、また第２の発明によれば、「前記第１の収納台紙、第２の収納台紙及び第３の収納台紙の素材が、剛性ある紙、合成紙又は合成樹脂シートであると共に、前記第１の収納台紙、第２の収納台紙及び第３の収納台紙が、Ｂ５版又はＡ４版である」という、特徴的な構成要件により、また第３の発明によれば、「前記第１の収納台紙、第２の収納台紙及び第３の収納台紙の一側にヒンジ部を介して綴じ片を延設すると共に、前記各収納台紙における綴じ片の所定位置には複数のビス穴を穿設している」という、特徴的な構成要件により、また第４の発明によれば、「前記第１の収納台紙、第２の収納台紙及び第３の収納台紙における折鶴収納部の形状は、平面視、上方は３の山部と２の谷部とした王冠状に形成され、下方は緩やかな山部が形成されると共に、前記緩やかな山部の下部又は近傍には収納された折鶴の番号表示部が設けられ、当該折鶴収納部の大きさは、折鶴の大きさと同大又はやや大とされ、かつ当該折鶴収納部の厚さ寸法は、折鶴の厚みとほぼ同寸かやや大としている」という、特徴的な構成要件により、また第５の発明によれば、「前記第１の収納台紙、第２の収納台紙及び第３の収納台紙は、綴じ片を除く表裏面の全面に不乾性粘着剤が塗布されていると共に、前記不乾性粘着剤に仮着された透明合成樹脂製フィルムで被覆されている」という、当業者が想定することができない極めて特徴的な構成要件により、慶祝、お見舞、激励等の目的で制作される折鶴を簡便かつ美麗に収納する折鶴収納台紙の提供という第１の課題と、数少ない１〜複数種の収納台紙の組み合わせにより、百羽鶴又は折鶴制作者が所望する数量の折鶴を収納できる折鶴収納台紙の提供という第２の課題を併せて解決することができた。すなわち、第１の収納台紙には、タテ５列、ヨコ４列の折鶴収納部が順序良く整列されている。また第２の収納台紙には、タテ４列、ヨコ３列の折鶴収納部が順序良く整列されている。第３の収納台紙には、折鶴収納部が左右にタテ３列、中央にタテ２列がバランスよく整列されている。そのため、折鶴収納台紙は、折鶴の色彩と相俟って美麗とすることができた。さらに例えば、百羽鶴を制作するとき、２０箇所の折鶴収納部を形成した第１の収納台紙５枚で合計１００羽の折鶴を収納することができる。また米寿（８８歳）用の折鶴８８羽は、第１の収納台紙４枚（８０羽）と第３の収納台紙１枚（８羽）で制作することができる。さらに折鶴が収納されるそれぞれの折鶴収納部の形状は、平面視、上方は３の山部と２の谷部とした王冠状に形成され、下方は緩やかな山部が形成されているので、当該折鶴収納部内のカラフルな折鶴とあいまって、きわめて美麗で、折鶴の被贈呈者及び制作者の心を和ませる効果を奏する。【００２２】第６の発明によれば、「慶祝、お見舞、激励等を目的として制作される折鶴等を収納するアルバムであって、背表紙、オモテ表紙及びウラ表紙からなる表紙体と、前記第１の収納台紙及び／又は第２、第３の収納台紙を組み合わせてなる複数枚の折鶴収納台紙と、折鶴等の贈呈者及び／又は被贈呈者に関連する写真を貼付する写真台紙と、シール、カード、チケット、ハガキ等のシート体を取り付けるための取付台紙と、前記写真台紙及び取付台紙の表裏面を被覆する透明合成樹脂製フィルムと、前記第１、第２及び第３の収納台紙、写真台紙及び取付台紙を前記表紙体に固定する固定具と、からなる百羽鶴又は所定数の折鶴と写真等の一体型アルバム」という、当業者が想定することができない極めて特徴的な構成要件により、百羽鶴又は所定数の折鶴等の被贈呈者が、贈呈者の趣旨、例えば「慶祝、寿、祝、希望、祈、必勝、勇気、闘志、合格、愛、ＨＡＰＰＹ」等をより強く感じることができる、百羽鶴又は所定数の折鶴と写真等の一体型アルバムの提供という、第３の課題と、折鶴制作者が精神的かつ肉体的な負担を感じることなく、軽量で嵩高くならない百羽鶴又は所定数の折鶴と写真等の一体型アルバムの提供という、第４の課題を併せて解決することができた。【００２３】また第７の発明によれば、「前記オモテ表紙及びウラ表紙内に、百羽鶴又は慶祝等に関連する所定数の折鶴贈呈者から被贈呈者へのメッセージ、イラスト又は寄せ書き等を表記するための見開き及び／又はメッセージシートを介在させ、前記第１、第２及び第３の収納台紙、前記写真台紙及び取付台紙と共に、前記固定具を介して表紙体に固定されてなる」という、特徴的な構成要件により、百羽鶴を贈呈する趣旨が、例えば「米寿の慶祝」であるときは、第１の収納台紙５枚（収納部１００個）に計１００羽の折鶴を収納し、その前後に設けた写真台紙には、例えば、米寿を迎える人の写真や米寿を祝う会に参加した全員の集合写真等を貼付し、また取付台紙には、米寿を迎える人に関連する各種のシール、カード等を貼付することにより、百羽鶴の被贈呈者の「慶び」は倍加する。あるいは、「米寿の慶祝」について、第１の収納台紙４枚（収納部８０個）と折鶴収納部８個を形成した第３の収納台紙各１枚（収納部８個）を組み合わせれば、計５枚からなる折鶴収納台紙に８８羽の折鶴を収納して、所定数の折鶴と写真等の一体型アルバムを被贈呈者にプレゼントすることができる。また、例えば病者の「入院見舞い」あるいは「快癒祈願」等を目的とした百羽鶴の贈呈に際しは、写真台紙や取付台紙に写真、シール等の添着は適さないので、百羽鶴のみの折鶴収納台紙にするか又はメッセージシートに、折鶴制作者による「早くよくなって下さい」、「快癒祈念」等の寄せ書きや折鶴制作者の署名入りとすることもできる。【００２４】第８の発明によれば、「前記表紙体における背表紙には百羽鶴の文字を表記し、前記オモテ表紙又はウラ表紙には１〜複数の鶴又は折鶴の図形又は文字が表示されるかあるいは刺繍されている」という、特徴的な構成要件により、また第９の発明によれば、「前記見開きには少なくとも百羽鶴又は慶祝に関連する所定数の折鶴贈呈の趣旨を表す文字、図形、被贈呈者及び／又は贈呈者の氏名、名称及び日付等の表記欄が設けられている」という、特徴的な構成要件により、百羽鶴又は所定数の折鶴等の被贈呈者が、贈呈者の趣旨、例えば「慶祝、寿、祝、希望、祈、必勝、勇気、闘志、合格、愛、ＨＡＰＰＹ」等をより強く感じることができる、百羽鶴又は所定数の折鶴と写真等の一体型アルバムの提供という、第３の課題を解決することができた。すなわち、百羽鶴の被贈呈者は、贈呈者の心、気配り、あるいは気概等を深く感じて、その「慶び」、「望み」又は「勇気」、「闘志」等が倍加する効果を奏することができた。【００２５】第１０の発明によれば、「前記第１、第２及び第３の収納台紙の折鶴収納部に収納される折鶴制作用の折り紙と、見開き及び／又はメッセージシートに貼付されるシールと、前記折鶴収納部の下部又は近傍に貼付される羽数表示シールと、を添付してなる」という、特徴的な構成要件により、百羽鶴はもちろん折鶴等の被贈呈者が所望する数の折鶴と写真等の一体型アルバムを容易に、かつ楽しみながら制作することができる。【００２６】第１１の発明によれば、「前記見開き、メッセージシートは、Ｂ５判又はＡ４判からなる」という、特徴的な構成要件により、見開き、メッセージシート及び折鶴収納台紙は、固定具を介して適合する表紙体に装着され、百羽鶴等の被贈呈者は、贈呈された百羽鶴を、ほぼ半永久的に美麗に保存することができると共に、保存スペースも狭小とする効果も発揮することができた。
【図面の簡単な説明】
【００２７】
【図１】は、本発明に係る、２０羽の折鶴を収納する折鶴収納部を形成したＡ４判折鶴収納台紙における第１の収納台紙の平面図である。
【図２】は、本発明に係る、１２羽の折鶴を収納する折鶴収納部を形成したＡ４判折鶴収納台紙における第２の収納台紙の平面図である。
【図３】は、本発明に係る、８羽の折鶴を収納する折鶴収納部を形成したＡ４判折鶴収納台紙における第３の収納台紙の平面図である。
【図４】（ａ）は、折鶴用紙の平面図、（ｂ）は、折り畳まれた折鶴の平面図である。
【図５】は、図１における５−５線断面図である。
【図６】（ａ）は、百羽鶴と写真等の一体型アルバムの全体を示す斜視図、（ｂ）は、図６（ａ）における一部省略拡大平面図である。
【図７】は、同オモテ表紙及びウラ表紙の展開図である。
【図８】は、同百羽鶴と写真等の一体型アルバムにおける見開きの平面図である。
【図９】は、同見開きの使用態様を示す斜視図である。
【図１０】は、百羽鶴と写真等の一体型アルバムにおけるメッセージシートの平面図である。
【図１１】は、同取付台紙の平面図である。
【図１２】は、百羽鶴と写真等の一体型アルバムにおける写真台紙の平面図である。
【図１３】は、同百羽鶴と写真等の一体型アルバムにおける見開き及び／又はメッセージシートに貼付されるシールの一例を示す平面図である。
【図１４】は、折鶴収納部の下部又は近傍に貼付される羽数表示シールの平面図である。
【００２８】以下、本発明に係る、折鶴収納台紙及び百羽鶴又は所定数の折鶴と写真等の一体型アルバムの一実施形態について、図面を参照して詳細に説明する。図１〜図３は、慶祝、お見舞、激励等を目的とし、合計で百羽又は所定数の折鶴を収納するためのＡ４版のシート状折鶴収納台紙を示し、図１は、１枚の台紙に２０羽の折鶴を収納する折鶴収納部（以下、収納部Ｄｄという）を形成した第１の収納台紙（以下、台紙Ｄ１という）を示している。台紙Ｄ１は、剛性ある紙、合成紙又は合成樹脂シートからなっている。各収納部Ｄｄは、図４（ｂ）に例示するような折り畳まれた折鶴Ｃを収納するためのもので、パンチングマシン又はプレスマシン等により台紙Ｄ１の表面Ｄ１ａから裏面Ｄ１ｂに打ち抜かれて形成される。各収納部Ｄｄの形状は、平面視、上方は３の山部Ｄａと２の谷部Ｄｂとした王冠状に形成され、下方は緩やかな山部Ｄｃが形成されている。緩やかな山部Ｄｃの下部又は近傍には収納された折鶴Ｃの番号表示部Ｎが設けられ、折鶴制作者が折鶴の制作過程においてその進捗状況が一目で判るようになっている。番号表示部Ｎは、台紙Ｄ１の表面Ｄ１ａと裏面Ｄ１ｂにそれぞれが対応するように設けられている。台紙Ｄ１の１枚目〜５枚目までは、１羽〜１００羽の通し番号が表示されている。台紙Ｄ１は、百羽鶴又は所定数の折鶴制作の基本となる台紙である。収納部Ｄｄの大きさは、図１に示すように、収納部Ｄｄの１羽目及び２羽目に収納された折鶴Ｃの大きさと同大又はやや大とされ、かつ収納部Ｄｄの厚さ寸法ｗは、折鶴Ｃの厚みとほぼ同寸かやや大としている（図５、参照）。台紙Ｄ１の一側にはヒンジＬを介して綴じ片ＥＰ１が延設されている。綴じ片ＥＰ１の所定位置には複数のビス穴５ａが穿設されている。【００２９】図２は、１２羽の収納部Ｄｄを形成した第２の折鶴収納台紙（以下、台紙Ｄ２という）を示している。台紙Ｄ２の素材は、台紙Ｄ１と同様に剛性ある紙、合成紙又は合成樹脂シートからなっている。各収納部Ｄｄは、図４（ｂ）に例示するような折鶴Ｃを収納するためのもので、パンチングマシン又はプレスマシン等により台紙Ｄ２の表面Ｄ２ａから裏面Ｄ２ｂに切り取り用の切取線Ｃｔが形成されている。台紙Ｄ２の収納部Ｄｄは、所定数の折鶴を制作するときに必要な数だけ開口して折鶴が収納される。例えば、古希（７０歳）の慶祝として折鶴を制作するには、台紙Ｄ１を３枚と台紙Ｄ２の収納部Ｄｄの１０箇所を切り取れば、計７０羽の折鶴を収納して、台紙Ｄ２の番号表示部Ｎに６１羽〜７０羽の番号表示シールＮｓ（図１４、参照）を貼付し、残余の２箇所はそのままの状態にしておくことができる。台紙Ｄ２の一側にはヒンジＬを介して綴じ片ＥＰ２が延設されている。綴じ片ＥＰ２の所定位置には複数のビス穴５ａが穿設されている。【００３０】図３は、８羽の収納部Ｄｄを形成した第３の折鶴収納台紙（以下、台紙Ｄ３という）を示している。台紙Ｄ３の素材は、台紙Ｄ１と同様に剛性ある紙、合成紙又は合成樹脂シートからなっている。各収納部Ｄｄは、図４（ｂ）に例示するような折鶴Ｃを収納するためのもので、パンチングマシン又はプレスマシン等により台紙Ｄ３の表面Ｄ３ａから裏面Ｄ３ｂに切り取り用の切取線Ｃｔが形成されている。台紙Ｄ３の収納部Ｄｄは、所定数の折鶴を制作するときに必要な数だけ開口して折鶴が収納される。例えば、喜寿（７７歳）の慶祝として折鶴を制作するには、台紙Ｄ１を３枚、台紙Ｄ２を１枚、台紙Ｄ３の収納部Ｄｄの５箇所を切り取れば、計７７羽の折鶴を収納して、台紙Ｄ３の番号表示部Ｎに７３羽〜７７羽の番号表示シールＮｓ（図１４、参照）を貼付し、残余の３箇所はそのままの状態にしておくことができる。台紙Ｄ３の一側にはヒンジＬを介して綴じ片ＥＰ３が延設されている。綴じ片ＥＰ３の所定位置には複数のビス穴５ａが穿設されている。【００３１】図４（ａ）は、台紙Ｄ１、台紙Ｄ２及び台紙Ｄ３の収納部Ｄｄに収納する折鶴Ｃを制作する折鶴用紙ＣＹの一例を示している。図４（ｂ）に示す折鶴Ｃを制作するには、例えば、折鶴用紙ＣＹの一辺ＣＬを１００ｍｍの正方形とすれば、高さＨが５０ｍｍの折り畳まれた折鶴Ｃを制作することができる。また折鶴用紙ＣＹの一辺ＣＬを１３０ｍｍの正方形とすれば、高さＨが６５ｍｍの折り畳まれた折鶴Ｃを制作することができる。さらに折鶴用紙ＣＹの一辺ＣＬを１５０ｍｍの正方形とすれば、高さＨが７５ｍｍの折り畳まれた折鶴Ｃを制作することができる。台紙Ｄ１、台紙Ｄ２及び台紙３の収納部Ｄｄの大きさは、折り畳まれた折鶴Ｃの大きさとほぼ同大かやや大とされている。Ｃａは折鶴Ｃの首部、Ｃｂは尾羽、Ｃｃは両翼である。【００３２】図５は、図１における５−５線拡大断面図で、台紙１は、上述したように、厚紙、合成紙又は合成樹脂シートを素材とし、その厚さ寸法ｗは、折り畳まれた折鶴Ｃの厚みである約１ｍｍ〜１．５ｍｍとほぼ同寸かやや大としている。台紙１の表裏面Ｄ１ａ、Ｄ１ｂは、再接着可能な不乾性粘着剤（不図示）が塗布されていると共に、折鶴Ｃを各収納部Ｄｄに全て収納後に透明合成樹脂フィルムＦで被覆される。これにより各収納部Ｄｄに収納された折鶴Ｃは、収納台紙Ｄ１、Ｄ２及びＤ３の収納部Ｄｄから脱落することがない。また塵埃等により汚れることがなく長期に亘って美麗に保管することができる。なお、本発明に係る、折鶴収納台紙Ｄの大きさについて、Ａ４版を中心に図示、説明したが、これをＢ５版とすることができるのはもちろんである。【００３３】図６〜図１４は、台紙Ｄ１、台紙Ｄ２及び台紙３を用いた、百羽鶴又は所定数の折鶴と写真等の一体型アルバムの一実施形態を示している。図６（ａ）は、本発明に係る、百羽鶴と写真等の一体型アルバム（以下、アルバムＡという）の全体を示している。アルバムＡは、表紙体１を構成する背表紙１ａ、オモテ表紙１ｂ及びウラ表紙１ｃと、百羽鶴贈呈者によって制作された折鶴Ｃを収納する、台紙Ｄ１、台紙Ｄ２及び台紙３を組み合わせてなる折鶴収納台紙Ｄ、折鶴Ｃ等の贈呈者及び／又は被贈呈者に関連する写真Ｐｈ１、Ｐｈ２等を貼付する写真台紙Ｐｈ、被贈呈者に関連するシール、カード、チケット、ハガキ等のシート体を取り付けるための取付台紙１０、写真台紙Ｐｈ及び取付台紙１０の表裏面を被覆する透明合成樹脂製フィルムＦと、折鶴収納台紙Ｄ等を表紙体１内に固定する固定具５を主な構成部材としている。また、オモテ表紙１ｂの内側には折鶴贈呈者から被贈呈者へのメッセージ、イラスト又は寄せ書き等を表記するための見開き２０、メッセージシート３０を介在させることができる。図６（ｂ）は、アルバムＡにおける、構成部材の一例を示している。２０は見開き、３０はメッセージシート、Ｐｈは写真台紙、Ｄ１、Ｄ３は台紙、１０は取付台紙、８はシール、Ｎｓは番号表示シール（図１３、１４、参照）であり、これらの構成部材の整列順序等は、変更可能であることはもちろんである。【００３４】図７は、アルバムＡのオモテ表紙１ｂ及びウラ表紙１ｃに貼付される多数の折鶴図形７入りのカバーで、紙、布地又は合成樹脂材からなっている。多数の折鶴の図形７は、例えば赤色折鶴と白色折鶴と交互に配列することができる。もしくは赤色に替えて金色折鶴とし、白色に替えて銀色折鶴とすることもできる。赤色、白色、金色及び銀色の折鶴図形７は、慶祝の趣をより強くすることができる。６は百羽鶴の文字で百羽鶴又は所定数の折鶴と写真等の一体型アルバムＡであることを示している。１ｄは折曲線である。【００３５】図８及び図９は、見開き２０とその使用態様を示し、見開き２０の上段には、被贈呈者の氏名又はチーム名９等の記入欄２０ａが設けられている。記入欄２０ａの下には、例えば、百羽鶴贈呈の趣旨を表す「祝米寿」等のシール８（図１３参照）を貼付する趣旨表示欄２０ｂが設けられ、見開き２０のほぼ中央には折鶴Ｃの大きな図形７が表示されている。また下段には百羽鶴贈呈者からのメッセージ欄２０ｃが設けられている。固定具５は、見開き２０、メッセージシート３０、台紙Ｄ１、台紙Ｄ２、台紙３、写真台紙ｐｈ及び取付台紙１０等を表紙体１に固定するためのものであり、各種の固定具５が選択されるが、例えばボルト、ナットによるビス止め方式が好ましい。５ａはビス穴である。【００３６】図１０は、メッセージシート３０を示し、その四周縁には多数の折鶴の図形７を表示している。メッセージシート３０の上段にはメッセージ３０ａが記載され、中央には折鶴制作者から被贈呈者へのイラスト、寄せ書きやメッセージが記入される。図１１は、取付台紙１０で、百羽鶴の被贈呈者に関連するシール、カード、チケット、ハガキ等のシート体を取り付けることができる。取付台紙１０は、台紙Ｄ１、台紙Ｄ２及び台紙３と同様に紙、合成紙又は合成樹脂シートを素材とし、その大きさは、上記の台紙Ｄ１、台紙Ｄ２及び台紙３と同大としている。図１２は、写真台紙Ｐｈを示している。Ｐｈ１は、例えば米寿を迎える被贈呈者の写真で、Ｐｈ２は、被贈呈者の親族又は町内会等の友人、知己達の写真である。図１３は、アルバムＡにおける見開き２０又はメッセージシート３０に貼付されるシール８の一例を示し、折鶴制作者は、百羽鶴等を贈呈する趣旨に適するシール８を選び、台紙から剥離して、見開き２０又はメッセージシート３０に貼付される。図１４は、折鶴収納部Ｄｄの下部又は近傍に設けられた番号表示部Ｎに貼付される番号表示シールＮｓの一例で、台紙Ｄ２及び台紙３に必要な６１羽以上又は７１羽以上の折鶴収納部Ｄｄに適宜貼付される。【００３７】次に台紙Ｄ１、台紙Ｄ２及び台紙３を組み合わせて、折鶴Ｃの制作者が所望する百羽鶴及び所定数（各種の慶祝事に関連する数）を効率よく制作するための実施形態について説明する。例えば、長寿祝いを目的とする折鶴Ｃを贈呈するとき、台紙Ｄ１、台紙Ｄ２及び台紙３は、以下の組み合わせで制作することができる。すなわち、
「還暦祝い」＝台紙Ｄ１×３枚（折鶴６０羽）
「古希祝い」＝台紙Ｄ１×３枚＋台紙Ｄ２×１枚（１０羽）（折鶴７０羽）
「喜寿祝い」＝台紙Ｄ１×３枚＋台紙Ｄ２×１枚（１２羽）＋Ｄ３×１枚（５羽）（折鶴７７羽）
「傘寿祝い」＝台紙Ｄ１×４枚（折鶴８０羽）
「米寿祝い」＝台紙Ｄ１×４枚＋台紙Ｄ２×１枚（８羽）（折鶴８８羽）
「卒寿祝い」＝台紙Ｄ１×４枚＋台紙Ｄ２×１枚（１０羽）（折鶴Ｃ９０羽）
「白寿祝い」＝台紙Ｄ１×４枚＋台紙Ｄ２×１枚（１２羽）＋Ｄ３×１枚（７羽）（折鶴９９羽）
「百歳万歳」＝台紙Ｄ１×５枚（折鶴１００羽）
である。また他の慶祝事に関しても以下のように組み合わせで制作することができる。
例えば、
「成人式祝い」＝台紙Ｄ１×１枚（折鶴２０羽）
「２６歳誕生祝い」＝台紙Ｄ１×１枚＋台紙Ｄ３×１枚（６羽）（折鶴２６羽）
上述のように、台紙Ｄ１、台紙Ｄ２及び台紙３を組み合わせれば、折鶴Ｃの制作者は、各種の慶祝事に関連する所望する所定数の折鶴Ｃを少ない台紙枚数で短時間で制作することができる。
【符号の説明】
【００３８】Ｃ        折鶴
ＣＹ      折鶴用紙
Ｄ        折鶴収納台紙
Ｄ１      第１の収納台紙
Ｄ２      第２の収納台紙
Ｄ３      第３の収納台紙
Ｄｄ      折鶴収納部
Ｄａ      山部
Ｄｂ      谷部
Ｄｃ      緩やかな山部
Ｎ        番号表示部
Ｎｓ      番号表示シール
ｗ        収納部の厚さ寸法
Ｄ１ａ    表面
Ｄ１ｂ    裏面
５        固定具
５ａ      ビス穴
Ｌ        ヒンジ
ＥＰ１    綴じ片
Ｃｔ      切取線
Ａ        アルバム
１        表紙体
１ａ      背表紙
１ｂ      オモテ表紙
１ｃ      ウラ表紙
１ｄ      折曲線
２０      見開き
２０ａ    記入欄
２０ｂ    趣旨表示欄
２０ｃ    メッセージ欄
３０      メッセージシート
３０ａ    メッセージ
Ｐｈ      写真台紙
Ｐｈ１、Ｐｈ２  写真
６        百羽鶴の文字
７        折鶴の図形
８        シール
１０      取付台紙
Ｆ        透明樹脂フィルム
【図１】
2011207200.tif 000003
【図５】
2011207200.tif 000004
【図２】
2011207200.tif 000005
【図３】
2011207200.tif 000006
【図４】
2011207200.tif 000007
【図６】
2011207200.tif 000008
【図７】
2011207200.tif 000009
【図８】
2011207200.tif 000010
【図９】
2011207200.tif 000011
【図１０】
2011207200.tif 000012
【図１１】
2011207200.tif 000013
【図１２】
2011207200.tif 000014
【図１３】
2011207200.tif 000015
【図１４】
2011207200.tif 000016